(57)【要約】【課題】　予め設定された特定の領域に部首や非部首、単語に関する複数の解釈や情報が隠れた状態で含まれ、漢字の学習とともに、漢字の解釈などを学ぶことができ、学習効果を高めることができる漢字、もしくは非つづり字のコンピュータ字形を提供する。【解決手段】　漢字、もしくは非つづり字のコンピュータ字形であって、表示字形、もしくは字体を含み、かつサイズ、もしくは画素値の異なる図表や文字によって表示される複数の解釈や情報を該表示字形、もしくは字体の周囲、もしくは部首や非部首上の特定の領域などの予め設定された位置に表示する。【選択図】　図１
2004133405.tif 000002
【特許請求の範囲】
【請求項１】
表示字形、もしくは字体を含み、かつサイズ、もしくは画素値の異なる図表や文字によって表示される複数の解釈や情報を部首や非部首の周囲、もしくは該表示字形、もしくは字体の特定の領域などの予め設定された位置に表示することを特徴とする隠し解釈を有する漢字、もしくは非つづり字のコンピュータ字形。
【請求項２】
前記解釈や情報が、該表示字形、もしくは字体を解釈するデータであることを特徴とする請求項１に記載の隠し解釈を有する漢字、もしくは非つづり字のコンピュータ字形。
【請求項３】
前記解釈や情報が、該表示字形、もしくは字体をコンピュータに入力するための入力方法の解読データであることを特徴とする請求項１に記載の隠し解釈を有する漢字、もしくは非つづり字のコンピュータ字形。
【請求項４】
前記解釈や情報が、該表示字形、もしくは字体の用語例に係るデータであることを特徴とする請求項１に記載の隠し解釈を有する漢字、もしくは非つづり字のコンピュータ字形。
【請求項５】
前記解釈や情報が、該表示字形、もしくは字体の読み方であることを特徴とする請求項１に記載の隠し解釈を有する漢字、もしくは非つづり字のコンピュータ字形。
【請求項６】
前記解釈や情報が、該表示字形、もしくは字体の翻訳データであることを特徴とする請求項１に記載の隠し解釈を有する漢字、もしくは非つづり字のコンピュータ字形。
【請求項７】
前記解釈や情報が、該表示字形、もしくは字体に係る古字、字体の変形、簡体字か繁体字、同義語、もしくは方言などとの比較データであることを特徴とする請求項１に記載の隠し解釈を有する漢字、もしくは非つづり字のコンピュータ字形。
【請求項８】
前記特定の領域が、該表示字形や字体の周辺の領域であるか、もしくは線や輪郭で囲まれて定義される領域であることを特徴とする請求項１に記載の隠し解釈を有する漢字、もしくは非つづり字のコンピュータ字形。
【請求項９】
前記特定の領域が、該表示字形、もしくは字体上に予め設定され、白抜き、灰色の影、又は異なる色彩で表示されることを特徴とする請求項１に記載の隠し解釈を有する漢字、もしくは非つづり字のコンピュータ字形。
【発明の詳細な説明】
【技術分野】
【０００１】
　この発明は、コンピュータ字形に関し、特に漢字の学習に供する漢字の意味、解釈などに係る隠されたデータを含み、該隠されたデータを部首や非部首、或いは字形の周辺領域に表示する漢字、もしくは非つづり字のコンピュータ字形に関する。
【背景技術】
【０００２】
文字の学習、特に漢字を学習する場合、学習者は読み方（多様な方言や読み方）、意味（単語や語句）、翻訳（単語の意味）、入力（多様な文字入力方法）、多様な字体の変化、語彙、語句の構造分析など、さまざまな問題に遭遇する。このような場合、学習者は従来、辞書や電子辞書を引いて漢字に関連する情報を得ていた。しかし、このような過程は時間を無駄にする。
【０００３】
コンピュータへの漢字の入力方法に関しては、例えば、「Cheong−Chi（倉頡）」の漢字の入力方法において、学習者は漢字を複数に分解しなければならない。しかし、漢字の分解の法則や分解コードを記憶することは初心者にとって多くの時間を必要とする。よって、漢字の分解の法則を学習する速度をはやくする方法を確立することが必要になる。
【０００４】
従来の字体と同じサイズで読み方や単語の意味（６０）が記載されている画面を図５に開示する。図示によれば、従来の解釈は読み方がほとんどで、他に必要な解釈（６１）（６２）などは全く考慮されていないか、或いは他の用語や編集をしなければ得ることができない。これは労力を増やし、製作コストを増加させる。よって、学習者は漢字の学習に多くの時間と忍耐力を要求される。
【０００５】
このため、漢字や読み方の記載されていない漢字の学習を容易にする、自動的に解釈を表示する機能を具えた漢字や詠み方の記載されていない漢字の字形を確立することが必要である。
【０００６】
現在、多種多様なコンピュータの編集ソフト、デスクトップ出版システム、高性能アウトプット出力製版設備、印刷設備などがある。このような印刷設備により高性能な印刷物を得ることができる。よって１２００DPI（dot　per　inchi、プリンターの性能を表す単位）、２４００DPI、３６００DPIなどの印刷物や高性能な印刷物はよく見かけられる印刷物である。今日、０．５から２pointサイズの解釈図や文字は拡大鏡を使用しなくても肉眼ではっきりと見ることができる。一般の新聞や雑誌の記事の文字サイズは約１対１０か、或いは高比率である８―１４pointが使用されている。よって、表示文字、もしくは字体、或いは表示文字、もしくは字体の周囲の特別な領域に解釈などが隠れた状態で含まれるようにすることは簡単なことである。また、この方法は日本語や韓国語など何千或いはそれ以上の独立した言語の文字を含む漢字、もしくは非つづり字に適用することができる。
【発明の開示】
【発明が解決しようとする課題】
【０００７】
　この発明は、部首や非部首上、或いは表示文字、もしくは字体の周辺の予め設定された特定の領域に部首や非部首、単語に関する複数の解釈や情報が隠れた状態で含まれる隠し解釈を有する漢字、もしくは非つづり字のコンピュータ字形を提供することを課題とする。
【０００８】
また、この発明は、単語に関連する解釈や情報が、部首や非部首と一緒に表示されて混同することがなく、且つ必要に応じて個々の漢字の解釈を学ぶことができる隠し解釈を有する漢字、もしくは非つづり字のコンピュータ字形を提供することを課題とする。
【０００９】
。
　さらに、この発明は、部首や非部首に関する解釈、情報などのデータが隠れた状態で含まれ、必要に応じて読み取り表示することによって、字形の編集に必要とする画面の面積を縮小し、紙、製版、印刷のコストを減少させる隠し解釈を有する漢字、もしくは非つづり字のコンピュータ字形を提供することを課題とする。
【課題を解決するための手段】
【００１０】
そこで本発明者は、従来の技術に鑑み鋭意研究を重ねた結果、表示字形、もしくは字体を含み、かつサイズ、もしくは画素値の異なる図表や文字によって表示される複数の解釈や情報を部首や非部首の周囲、もしくは表示文字、もしくは字体上の特定の領域などの予め設定された位置に表示する漢字、もしくは非つづり文字のコンピュータ字形によって課題を解決できる点に着眼し、係る知見に基づき本発明を完成させた。
【００１１】
即ち、この発明の主な目的は、部首や非部首上、或いは表示文字、もしくは字体の周辺の予め設定された特定の領域に部首や非部首、単語に関する複数の解釈や情報に係る隠し解釈を表示するコンピュータの字形を形成することにあり、部首や非部首に関する該解釈や情報は、部首や非部首とは異なるサイズや画素を使用した図表や文字で開示される。また、解釈や情報が表示される特定の領域は、白抜きや濃淡をつけるか、或いは異なる色相を具えるように設定することができる。よって、単語に関連する解釈や情報は、部首や非部首と一緒にしても混同することがなく、このため、漢字自体が翻訳、解釈、多様な字形や用語などの隠された解釈を含み、解釈機能を具える。よって学習者が必要に応じて個々の漢字の解釈を学ぶことができるという目的を達成できる。
【００１２】
　さらに、該隠し解釈を表示する領域のサイズは、部首のサイズに応じて変更することができる。例えばタイトルの文字が大きなサイズで記載されている場合、より多くの隠含された解釈データを字形に加えることができる。文章の文字が小さい場合、基本的な解釈データのみが解釈領域に加えられる。隠された解釈データは、図表や文字で設定され、必要に応じて呼び出すことができる。よって解釈データを表示するための必要な編集画面を少なくするとともに、紙、製版、印刷のコストも減少させる目的を達成できる。
【００１３】
以下、この発明について具体的に説明する。
請求項１に記載する隠し解釈を有する漢字、もしくは非つづり字のコンピュータ字形は、表示字形、もしくは字体を含み、かつサイズ、もしくは画素値の異なる図表や文字によって表示される複数の解釈や情報を部首や非部首の周囲、もしくは該表示文字、もしくは字体の特定の領域などの予め設定された位置に表示する。
【００１４】
請求項２に記載する隠し解釈を有する漢字、もしくは非つづり字のコンピュータ字形は、請求項１における解釈や情報が、該表示字形、もしくは字体を解釈するデータである。
【００１５】
請求項３に記載する隠し解釈を有する漢字、もしくは非つづり字のコンピュータ字形は、請求項１における解釈や情報が、該表示字形、もしくは字体をコンピュータに入力するための入力不法の解読データである。
【００１６】
請求項４に記載する隠し解釈を有する漢字、もしくは非つづり字のコンピュータ字形は、請求項１における解釈や情報が、該表示字形、もしくは字体の用語例に係るデータである。
【００１７】
請求項５に記載する隠し解釈を有する漢字、もしくは非つづり字のコンピュータ字形は、請求項１における解釈や情報が、該表示字形、もしくは字体の読み方である。
【００１８】
請求項６に記載する隠し解釈を有する漢字、もしくは非つづり字のコンピュータ字形は、請求項１における解釈や情報が、該表示字形、もしくは字体の翻訳データである。
【００１９】
請求項７に記載する隠し解釈を有する漢字、もしくは非つづり字のコンピュータ字形は、請求項１における解釈や情報が、該表示字形、もしくは字体に係る古字、字体の変形、簡体字か繁体字、同義語、もしくは方言などとの比較データである。
【００２０】
請求項８に記載する隠し解釈を有する漢字、もしくは非つづり字のコンピュータ字形は、請求項１における特定の領域が、該表示字形や字体の周辺の領域であるか、もしくは線や輪郭で囲まれて定義される領域である。
【００２１】
請求項９に記載する隠し解釈を有する漢字、もしくは非つづり字のコンピュータ字形は、請求項１における特定の領域が、該表示字形、もしくは字体上に予め設定され、白抜き、灰色の影、又は異なる色彩で表示される。
【発明の効果】
【００２２】
　この発明による漢字、もしくは非つづり字のコンピュータ字形は、部首や非部首上、或いは表示文字、もしくは字体の周辺の予め設定された特定の領域に部首や非部首、単語に関する複数の解釈や情報が隠れた状態で含まれ、漢字の学習とともに、漢字の解釈などを学ぶことができ、学習効果を高めることができる。
【００２３】
。
また、この発明による漢字、もしくは非つづり字のコンピュータ字形は、部首や非部首に関する解釈、情報などのデータが隠れた状態で含まれ、必要に応じて読み取り表示することによって、字形の編集に必要とする画面の面積を縮小し、紙、製版、印刷のコストを減少させる効果を有する。
【発明を実施するための最良の形態】
【００２４】
　この発明は、漢字の学習に供する漢字の意味、解釈などに係る隠されたデータを含み、該隠されたデータを部首や非部首、或いは字形の周辺領域に表示する漢字、もしくは非つづり字のコンピュータ字形を提供するものであって、表示字形、もしくは字体を含み、かつサイズ、もしくは画素値の異なる図表や文字によって表示される複数の解釈や情報を部首や非部首の周囲、もしくは表示文字、もしくは字体上の特定の領域などの予め設定された位置に表示して構成する。
係る構成の漢字、もしくは非つづり字のコンピュータ字形について、その構造と特徴を詳述するために具体的
な実施例を挙げ、以下に説明する。
【実施例】
【００２５】
図１に、この発明による解釈を含む隠しファイルを具え、かつ部首と非部首を含むコンピュータの文字パターンを開示する。この実施例では漢字の「務」を参考例として説明を加え、並びに図番（１０）を付して表示する。表示字形（１０）、もしくは表示字体は、表示字形（１０）、もしくは表示字体を囲むラインや輪郭（２０）により定義された特定の表示領域（２０Ａ）を具える。
【００２６】
　図面によれば、第１の解釈（３０）、もしくは情報は、該特定の表示領域（２０Ａ）に表示され、第１パターン（２１）として設けられる。該第１の解釈（３０）、もしくは情報は、表示字形（１０）、もしくは表示字体の翻訳データとして提供される。
【００２７】
　図２に、この発明におけるの隠含された第２の解釈（４０）、もしくは情報が特定の領域（２０Ａ）に表示され、第２パターン（２２）として設けられる状態を開示する。第２の解釈（４０）、もしくは情報は表示字形（１０）、もしくは表示字体の解読データとして設けられる。図示によれば、解読データは倉頡（Cheong−Chi）というコンピュータへの漢字入力方法や他の入力方法の原理を解読することにより得られる。
【００２８】
　図３に、この発明の第３の解釈（５０）、もしくは情報が特定の領域（２０Ａ）に表示され、第３パターン（２３）として設けられている状態を開示する。第３の解釈や情報（５０）は部首や非部首（１０）の語彙データとして設けられる。特定の領域（２０Ａ）は上述の解釈（３０）（４０）（５０）、もしくは情報をそれぞれ受けるため、１つ以上の設定位置を具えてなる。解釈（３０）（４０）（５０）、もしくは情報は実務上の応用条件により総合的或いは部分的に表示することができる。例えば、コンピュータの入力操作に適用する場合、表示字形（１０）、もしくは字体は、該表示字形（１０）、もしくは字体の解読データとして設けられている第２の解釈（４０）、もしくは情報を表示する。また漢字を学習する場合、各表示字形（１０）、もしくは字体は、各表示字形（１０）、もしくは字体の翻訳データとして設けられている第１の解釈（３０）、もしくは情報を提供する。
【００２９】
　図４に、解釈や情報を各表示字形（１０）、もしくは字体上に直接表示した状態を開示する。文字はもとの字型に近いパターンで表示される。
【００３０】
　解釈（３０）（４０）（５０）、もしくは情報は、各表示字形（１０）、もしくは字体とは異なるサイズや画素の図表や文字で開示される。さらに、多様な解釈（３０）（４０）（５０）もしくは情報は、異なる方言、読み方、字体の翻訳、多様な言語の単語や用語、翻訳などを含んでいる。よって学習者は、単語や用語を容易に読んだり記憶したりすることができる。図５に、従来の単語の意味（６０）、及び解釈（６１）（６２）と、この発明の文字解釈パターン（６３）との比較を開示する。
【００３１】
　以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００３２】
【図１】この発明の第１の解釈文や情報が第１の領域に開示されている状態を表す説明図である。
【図２】この発明の第２の解釈文や情報が第２の領域に開示されている状態を表す説明図である。
【図３】この発明の第３の解釈文や情報が第３の領域に開示されている状態を表す説明図である。
【図４】図２に開示した第２の解釈文や情報が主な字型や字体自体に開示されている状態を表す説明図である。
【図５】３つの従来の文字解釈方法とこの発明の隠れた解釈を具えた字型との比較を表した説明図である。
【符号の説明】
【００３３】
１０  表示字形
２０  輪郭
２０Ａ  表示領域
２１  第１パターン
２２  第２パターン
２３  第３パターン
３０  第１の解釈
４０  第２の解釈
５０  第３の解釈
６０  単語の意味
６１、６２ 解釈
６３  文字解釈パターン
【図１】
2004133405.tif 000003
【図２】
2004133405.tif 000004
【図３】
2004133405.tif 000005
【図４】
2004133405.tif 000006
【図５】
2004133405.tif 000007
【外国語明細書】
2004133405.tif 000008
2004133405.tif 000009
2004133405.tif 000010
2004133405.tif 000011
2004133405.tif 000012
2004133405.tif 000013
2004133405.tif 000014
2004133405.tif 000015
2004133405.tif 000016
2004133405.tif 000017
2004133405.tif 000018
2004133405.tif 000019
2004133405.tif 000020
2004133405.tif 000021
2004133405.tif 000022
2004133405.tif 000023